(57)【特許請求の範囲】
【請求項１】
押ボタンスイッチの本体の挿入される挿入孔を有するとともに、その挿入孔の底部にはその押ボタンスイッチの本体の端子片が貫通することのできる開口部を有する基板と、前記基板に設けられている挿入孔に前記押ボタンスイッチの本体が挿入されたときに、その基板面から突出したその押ボタンスイッチの本体の端子片のその基板面に位置する部分に設けられた切欠部と、を有し、前記基板に設けられている挿入孔に前記押ボタンスイッチの本体を挿入したのち、その押ボタンスイッチの本体の端子片をその端子片に設けられている切欠部を中心に回動してその押ボタンスイッチの本体をその基板に固定するものであり、前記押ボタンスイッチの本体を挿入する側の基板には、その押ボタンスイッチの本体を操作する操作部を装着することのできるモザイクパネルを着脱自在に設けたことを特徴とする押ボタンスイッチ。
【発明の詳細な説明】
【０００１】
【発明の属する技術分野】
本願発明は押ボタンスイッチに係り、特に、押ボタンスイッチを取付けるための基板に押ボタンスイッチの本体を簡単に取付けられるようにしたものに関する。
【０００２】
【従来の技術】
従来、例えば、列車制御用操作盤に用いられるような押しボタンスイッチは、基板に設けられている挿入孔に押ボタンスイッチの本体（以下、「スイッチ本体」という。）を挿入したのち、特殊な工具を用いてナットをスイッチ本体に設けられている雄ねじに螺合させてスイッチ本体を基板に取付けるようにしている。
【０００３】
図６及び図７を用いて従来の押ボタンスイッチを説明すると、図６は、押ボタンスイッチを取付けている列車制御用操作盤Ｔの一部分の正面図である。この列車制御用操作盤Ｔの表面は、多数のモザイクパネルＭ，Ｍ…を組合わせて構成されているとともに、各モザイクパネルＭ，Ｍ…の表面には、列車の走行する路線Ｌが描かれている、そして、モザイクパネルＭ，Ｍ…の一部には、背面（裏面）に設けられているスイッチ本体（後述の図７の１００参照）を操作する押ボタン式の操作部ａが設けられている。
【０００４】
図７は、図６の一個のモザイクパネルＭ部分のＡ−Ａ線拡大断面図であって、スイッチ本体１００は、基板Ｐに取付けられ、また、モザイクパネルＭは、その基板Ｐの表面側（図７において左側）に突出して設けられている壁面Ｐ′の内側にモザイクパネルＭと一体的にもうけられちえる係止片Ｍ′を介して着脱自在に設けられている。
【０００５】
モザイクパネルＭに設けられている操作部ａは、ナットＮ1 を介してそのモザイクパネルＭにあけられている穴に取り付けられているとともに、一端に押ボタンａ1 を有する作動軸ａ2 がスプリングＳにより、常時、基板Ｐ側の反対方向（図７では左側方向）に押圧されている。なお、詳細な図面及び説明は省略するが、作動軸ａ2 には、ストッパ機構が設けられていて、その作動軸ａ2 は、所定以上、基板Ｐ側と反対側へ突出しないように工夫されている。
【０００６】
スイッチ本体１００は、基板Ｐに設けられている段付の挿入孔Ｐ1 にナットＮ2 を介して取付けられている。すなわち、スイッチ本体１００の一端側（図７においては左側）に設けられている雄ねじ部１０１が挿入孔Ｐ1 内に挿入され、その挿入された雄ねじ部１０１に、その挿入孔Ｐ1 に入り、かつ、ナットＮ2 を回動させることができる特殊な工具（図示せず）を用いてナットＮ2 をその雄ねじ部１０１に螺合させてスイッチ本体１００を基板Ｐに取付けるようにしている。
【０００７】
スイッチ本体１００内には、図示しないが、雄ねじ部１０１から突出して設けられている駆動軸１０２が操作部ａの押ボタンａ1 が矢印▲１▼に示されるように押下されたとき、その作動軸１０２によりＯＮ又はＯＦＦされるスイッチ素子が設けられている。そして、そのスイッチ素子のスイッチ信号は、スイッチ本体１００の他端側（図７では右端側）に設けられている端子片１０３ａ，１０３ｂから取出せるように構成されている。これら端子片１０３ａ，１０３ｂは、ビスを用いてスイッチ本体１００に組み込まれている。また、これら端子片１０３ａ，１０３ｂには、図示しないが、着脱自在なソケットが設けられ、そのソケットに接続されたリード線を介してスイッチ信号が所定の箇所に送出できるように構成されている。
【０００８】
なお、スイッチ本体１００には、駆動軸１０２をモザイクパネルＰ側に押圧する押圧機構が設けられているが、ここでは省略されている。
【０００９】
【発明が解決しようとする課題】
しかしながら、上記従来の押ボタンスイッチは、基板に設けられている挿入孔に特殊な工具を用いて取り付けなければならないので、組立作業が面倒であり、また、端子片の取り付けもビス等を利用して組み立てなければならないとともに、部品点数が多くなるという欠点があった。
【００１０】
そこで、本発明は、上記欠点を解決するためになされたものであって、その目的は、基板への取付が簡単で、しかも、部品点数が少く、さらに簡単に製造することのできる押ボタンスイッチを提供することにある。
【００１１】
【課題を解決するための手段】
本発明に係る押ボタンスイッチは、上記目的を達成するために、押ボタンスイッチ本体の挿入される挿入孔を有するとともに、その挿入孔の底部にはその押ボタンスイッチ本体の端子片が貫通することのできる開口部を有する基板と、その基板に設けられている挿入孔に前記押ボタンスイッチ本体が挿入されたときに、その基板面から突出したその押ボタンスイッチ本体の端子片のその基板面に位置する部分に設けられた切欠部とを有し、前記基板に設けられている挿入孔に前記押ボタンスイッチ本体を挿入したのち、その押ボタンスイッチ本体の端子片をその端子片に設けられている切欠部を中心に回動してその押ボタンスイッチ本体をその基板に固定するものであり、前記押ボタンスイッチの本体を挿入する側の基板には、その押ボタンスイッチの本体を操作する操作部を装着することのできるモザイクパネルを着脱自在に設けたことを特徴としている。
【００１２】
【発明の実施の形態】
以下、本発明の実施の形態を図面に基づいて説明する。図１は、上記図７と同様に、上記図６に示される一つのモザイクパネルＰ部分の断面図である。
【００１３】
なお、上記図６及び図７と同一構成要素については同一符号を付している。これら同一符号の構成要素については、説明が重複するため省略するが、この図１に示される操作部ａは、上記図７に示されているスプリングＳにより押圧力が付されていないが、この押圧力は、後述するスイッチ本体に設けられているスプリングにより得ることができ、また、操作部ａ内にスプリングを設けて得ることができる。さらに、基板Ｐに設けられる挿入孔Ｐ1 の形状は、上記図７の挿入孔Ｐ1 と異なっているが、この図１に示される挿入孔Ｐ1 は、スイッチ本体の中央部分が間隙を生ずることなく挿入できる大きさに形成されている。
【００１４】
図１中、１は、スイッチ本体であって、基板Ｐに設けられている挿入孔Ｐ1 にモザイクパネルＰ側（図１において左側）から挿入されている。そして、スイッチ本体１が挿入孔Ｐ1 に挿入されたとき、その挿入孔Ｐ1 の底部２に設けられている一対の開口部３ａ，３ｂを通してスイッチ本体１に設けられている一対の端子片４ａ，４ｂが突出できるように構成されている。これら端子片４ａ，４ｂには、スイッチ本体１が挿入孔Ｐ1 に挿入されたときに、基板Ｐから突出したその基板面の位置に対向した位置に半円状の切欠部４ａ′，４ｂ′がそれぞれ設けられている。
【００１５】
図１中、５は、駆動軸であって、上記図７の駆動軸１０２と同様に、スイッチ本体１内に設けられているスイッチ素子をＯＮ，ＯＦＦできるように構成されている。
【００１６】
図２は、スイッチ本体１の一部を断面で示した正面図である。この図２から明らかなように、一対の端子片４ａ，４ｂは、スイッチ素子片６ａ，６ｂにハンダ７ａ，７ｂにより溶着されており、その周囲がプラスチック８で成形されている。すなわち、このスイッチ本体１は、一対の端子片４ａ，４ｂをビス等を用いて組立てることなく、樹脂成形によって製造されている。
【００１７】
図３は、スイッチ本体１のスイッチ機構の原理を示す参考図である。すなわち、このスイッチ本体１のスイッチ動作は、駆動軸５が押ボタンａ1 が押下されることにより（図１の矢印▲１▼参照）、矢印▲２▼に示されるように、バネ（図１及び図２では省略）９に抗して移動されたとき、その駆動軸２の他端側（図２において右端側）に設けられている導電性の操作子（図１及び図２では省略）１０を一対のスイッチ素子片６６ａ，６ｂの先端に当接させることができるように構成されている。したがって、一対のスイッチ素子片６ａ，６ｂに操作子１０が当接したときは、一対の端子片４ａ，４ｂが電気的に接続されてスイッチＯＮ信号を所定箇所へ送出することができる。
【００１８】
なお、スイッチ本体１に設けられるスイッチ機構は、上述に限らず、スイッチ素子片６ａ，６ｂにスプリング片をそれぞれ設け、一方のスプリング片を操作子１０で他方のスプリングに当接させるような周知のスイッチ機構とすることもできる。
【００１９】
図４及び図５は、スイッチ本体１を基板Ｐに取付けるときの状態を示していて、図５は、図４を右側から見た図に相当している。先ず、スイッチ本体１が基板Ｐの挿入孔Ｐ1 の底部２まで挿入されると（図５（ａ）参照）、一対の端子片４ａ，４ｂに設けられている切欠部４ａ′，４ｂ′は、基板Ｐの面に位置する（図４（ａ）参照）。次いで、ペンチ等の簡単な工具を用いて基板Ｐから突出している端子片４ａ，４ｂを端子片４ａ，４ｂの長軸を中心にして約４５°回転させると（図４（ａ）の矢印▲３▼参照）、端子片４ａ，４ｂは、切欠部４ａ′４ｂ′を中心に回動し、その回動した部分が底部２に設けられている開口部３ａ，３ｂから外れてスイッチ本体１のモザイクパネルＭ側への移動が阻止され、これにより、スイッチ本体１が基板Ｐへ固定される。
【００２０】
なお、基板Ｐに固定されたスイッチ本体１の端子片４ａ，４ｂには、図示しないが、着脱自在なソケットが設けられ、そのソケットに接続されたリード線を介してスイッチ信号が所定箇所へ送出される。
【００２１】
【発明の効果】
本発明に係る押ボタンスイッチは、押ボタンスイッチ本体の挿入される挿入孔を有するとともに、その挿入孔の底部にはその押ボタンスイッチ本体の端子片が貫通することのできる開口部を有する基板と、その基板に設けられている挿入孔に前記ス押ボタンイッチ本体が挿入されたときに、その基板面から突出したその押ボタンスイッチ本体の端子片のその基板面に位置する部分に設けられた切欠部とを有しているので、端子片を回動させるだけでス押ボタンイッチ本体を基板に簡単に取付けることができる。また、押ボタンスイッチ本体を挿入する側の基板に、その押ボタンスイッチ本体を操作する操作部を装着することのできるモザイクパネルを着脱自在に設けるようにしているので、各種処理機に容易に適用することができる。
【図面の簡単な説明】
【図１】本発明の一実施の形態に係る押ボタンスイッチを取付けている一つのモザイクパネル部分の断面図である。
【図２】スイッチ本体の一部を断面で示した正面図である。
【図３】スイッチ本体のスイッチ機構の原理図である。
【図４】スイッチ本体を基板に取付けるときの状態を説明する説明図である。
【図５】スイッチ本体を基板に取付けるときの状態を説明する説明図である。
【図６】列車制御用操作盤の一部分の正面図である。
【図７】従来の押ボタンスイッチを取付けている一つのモザイクパネル部分の断面図である。
【符号の説明】
Ｐ      基板
Ｐ1       挿入孔
Ｐ′      壁面
Ｍ      モザイクパネル
Ｍ′      係止片
ａ      操作部
ａ1       押ボタン
ａ2       作動軸
１      押ボタンスイッチの本体（スイッチ本体）
２      底部
３ａ，３ｂ      開口部
４ａ，４ｂ      端子片
４ａ′，４ｂ′      切欠部
５      駆動軸
６ａ，６ｂ      スイッチ素子片
７ａ，７ｂ      ハンダ
８      プラスチック
９      ばね
１０      操作子
【図１】
0004620304.tif 000002
【図２】
0004620304.tif 000003
【図３】
0004620304.tif 000004
【図４】
0004620304.tif 000005
【図５】
0004620304.tif 000006
【図６】
0004620304.tif 000007
【図７】
0004620304.tif 000008